(57)【要約】【課題】本発明は、表示パネル、これを用いた発光表示装置、及びその駆動方法に関する。【解決手段】発光表示装置は１００、データ線Ｙ１〜Ｙｎ、選択信号線Ｘ１〜Ｘｍ、発光信号線Ｚ１〜Ｚｍ、及び画素回路１１０が形成されている。画素回路１１０は、第１乃至第３スイッチング素子、トランジスタ、及び電界発光素子を含む。第１スイッチング素子は選択信号線からの第１走査信号に応答してデータ線Ｙ１〜Ｙｎからのデータ電流を伝達し、キャパシターは第１スイッチング素子からのデータ電流に対応する電圧を充電する。表示期間には、第２スイッチング素子は発光信号線Ｚ１〜Ｚｍからの第２走査信号の第１レベルに対応してトランジスタからの電流が前記発光素子に供給されるようにし、発光素子が発光する。また、非表示期間には、第２走査信号の第２レベルに対応して、第２スイッチング素子が消えて発光素子にトランジスタからの電流が供給されない。【選択図】図１
2008268981.tif 000002
【特許請求の範囲】
【請求項１】
データ電流を伝達し、一方向に形成されている複数のデータ線と、
第１及び第２走査信号を各々伝達し、前記データ線と交差している複数の選択信号線及び発光信号線と、
前記複数のデータ線、前記複数の選択信号線及び複数の発光信号線のうちの対応する一つのデータ線、選択信号線及び発光信号に連結されており、前記選択信号線からの第１走査信号に応答して、前記データ線からのデータ電流を伝達する第１スイッチング素子と、前記第１スイッチング素子からのデータ電流に対応する電圧を充電するキャパシターと、発光素子と、前記キャパシターに充電された電圧に対応する電流を前記発光素子に供給するトランジスタと、前記発光信号線からの第２走査信号の第１レベルに応答して前記トランジスタからの電流が前記発光素子に供給されるようにする第２スイッチング素子とを含む画素回路と、
前記複数の選択信号線に複数の第１走査信号を供給し、前記複数の発光信号線に複数の第２走査信号を供給する駆動部と、を有する発光表示装置であって、
前記複数の選択信号線は複数の第１選択信号線と複数の第２選択信号線とからなり、
前記駆動部は、一つのフレームで、発光期間の間に、第１レベルを有する複数の第２走査信号各々を対応する前記複数の発光信号線各々に供給し、
前記一つのフレームの第１フィールドの間に、前記複数の第１選択信号線各々に対応する前記複数の第１走査信号各々を伝達し、一つのフレームの第２フィールドの間に、前記複数の第２選択信号線各々に対応する前記複数の第１走査信号各々を伝達し、前記複数の第１選択信号線及び前記第２選択信号線各々に対応する前記複数の第１走査信号線各々が印加された時点から所定期間の後に前記複数の第１選択信号線及び前記第２選択信号線各々に対応する発光信号線に前記第１レベルの第２走査信号を供給することを特徴とする発光表示装置。
【請求項２】
前記複数の発光信号線は前記複数の第１選択信号に対応する複数の第１発光信号線と前記複数の第２選択信号に対応する複数の第２発光信号線とを含み、前記駆動部は、前記第１フィールドで、前記複数の第１発光信号線各々に対応する前記複数の第２走査信号各々を伝達し、前記第２フィールドで、前記複数の第２発光信号線各々に対応する前記複数の第２走査信号各々を伝達する請求項１に記載の発光表示装置。
【請求項３】
前記駆動部は、
前記第１フィールドの間に、前記複数の第１選択信号線に対応する前記複数の第１走査信号を供給する第１走査駆動部と、
前記第１フィールドの間に、前記複数の第１発光信号線に対応する前記複数の第２走査信号を供給する第１輝度制御駆動部と、
前記第２フィールドの間に、前記複数の第２選択信号線に対応する前記複数の第１走査信号を供給する第２走査駆動部と、
前記第２フィールドの間に、前記複数の第２発光信号線に対応する前記複数の第２走査信号を供給する第２輝度制御駆動部と、
を有することを特徴とする請求項２に記載の発光表示装置。
【請求項４】
前記駆動部はシフトレジスターからなることを特徴とする請求項３に記載の発光表示装置。
【請求項５】
前記複数の第２走査信号は、第１及び第２レベルの間を転換するパルスであり、前記第２走査信号が前記第１レベルである場合、前記発光素子は前記第２スイッチング素子からの電流に対応して発光し、前記第２走査信号が前記第２レベルである場合、前記発光素子への電流の供給が遮断されることを特徴とする請求項１に記載の発光表示装置。
【請求項６】
前記複数の第２走査信号は、一つのフィールドで、第１及び第２レベルの間を転換するパルスであることを特徴とする請求項５に記載の発光表示装置。
【請求項７】
前記画素回路は、前記第１走査信号に応答して、前記データ線からのデータ電流に該当する電圧が前記キャパシターに充電されるようにする第３スイッチング素子を更に有することを特徴とする請求項１に記載の発光表示装置。
【請求項８】
前記キャパシターは、前記第２走査信号が第２レベルである場合に前記データ電流に対応する電圧を充電することを特徴とする請求項１に記載の発光表示装置。
【請求項９】
前記複数の第１選択信号線及び前記複数の第１発光信号線は、複数の選択信号線及び発光信号線の中で各々奇数番目に該当する選択信号線及び発光信号線であり、前記複数の第２選択信号線及び前記複数の第２発光信号線は、複数の選択信号線及び発光信号線の中で各々偶数番目に該当する選択信号線及び発光信号線であることを特徴とする請求項２に記載の発光表示装置。
【請求項１０】
前記複数の第１選択信号線及び複数の第１発光信号線は、複数の選択信号線及び発光信号線の中で各々偶数番目に該当する選択信号線及び発光信号線であり、前記複数の第２選択信号線及び複数の第２発光信号線は、複数の選択信号線及び発光信号線の中で各々奇数番目に該当する選択信号線及び発光信号線であることを特徴とする請求項２に記載の発光表示装置。
【請求項１１】
前記複数の第１選択信号線の中で隣接する第１選択信号線の間に第２選択信号線があり、前記複数の第１発光信号線の中で隣接する第１発光信号線の間に第２発光信号線があることを特徴とする請求項１に記載の発光表示装置。
【請求項１２】
データ電流を伝達し、一方向に形成されている複数のデータ線と、
第１及び第２走査信号を各々伝達し、前記データ線と交差している複数の選択信号線及び発光信号線と、
前記データ線と前記選択信号線と発光信号線とが交差してなす画素領域に形成されており、前記選択信号線からの第１走査信号に応答して、前記データ線からのデータ電流を伝達する第１スイッチング素子と、前記第１スイッチング素子からのデータ電流に対応する電圧を充電するキャパシターと、発光素子と、前記キャパシターに充電された電圧に対応する電流を前記発光素子に供給するトランジスタと、前記発光信号線からの第２走査信号の第１レベルに応答して前記トランジスタからの電流が前記発光素子に供給されるようにする第２スイッチング素子とを含む画素回路と、
前記選択信号線は第１選択信号線と第２選択信号線とからなり、前記発光信号線は第１発光信号線と第２発光信号線とからなり、
前記一つのフレームの奇数フィールドの間に、前記第１選択信号線及び第１発光信号線に第１及び第２走査信号が各々伝達され、一つのフレームの偶数フィールドの間に、前記第２選択信号線及び第２発光信号線に第１及び第２走査信号が各々伝達され、
前記第２走査信号は、一つのフレームで、発光期間の間に、第１レベルを有し、前記第１走査信号の伝達時点から所定期間の後に前記第２走査信号が伝達されることを特徴とする表示パネル。
【請求項１３】
前記第２走査信号は、第１及び第２レベルの間を転換するパルスであり、前記第２走査信号が前記第１レベルである場合、前記発光素子は前記第２スイッチング素子からの電流に対応して発光し、前記第２走査信号が前記第２レベルである場合、前記発光素子への電流の供給が遮断されることを特徴とする請求項１２に記載の表示パネル。
【請求項１４】
前記画素回路は、前記第１走査信号に応答して、前記データ線からのデータ電流に該当する電圧が前記キャパシターに充電されるようにする第３スイッチング素子を更に有することを特徴とする請求項１２に記載の表示パネル。
【請求項１５】
データ線と選択信号線と発光信号線とが交差してなす画素領域に形成されており、キャパシターと、前記キャパシターに充電された電圧に対応して電流を供給するトランジスタと、発光素子を含む画素回路が形成されている発光表示装置を駆動する方法において、
一つのフレームの第１フィールドの間に、前記発光信号線の中で第１発光信号線を通じて印加される第２走査信号が第１レベルである間、前記選択信号線の中で第１選択信号線を通じて印加される第１走査信号に応答して前記データ線からのデータ電流に対応する電圧が前記キャパシターに充電される段階と、
前記第１走査信号が印加された時点から所定期間の後、前記第１発光信号線を通じて印加される第２レベルの第２走査信号に応答して、前記トランジスタから伝達される前記キャパシターに充電された電圧に対応する電流に応答して、前記発光素子が発光する段階と、
一つのフレームの第２フィールドの間に、前記発光信号線の中で第２発光信号線を通じて印加される第２走査信号が第１レベルである間、前記選択信号線の中で第２選択信号線を通じて印加される第１走査信号に応答して前記データ線からのデータ電流に対応する電圧が前記キャパシターに充電される段階と、
前記第１走査信号が印加された時点から所定期間の後、前記第２発光信号線を通じて印加される第２レベルの第２走査信号に応答して、前記トランジスタから伝達される前記キャパシターに充電された電圧に対応する電流に応答して、前記発光素子が発光する段階と、
前記第１フィールドの間に、前記第１発光信号線を通じて印加される前記第１レベルの第２走査信号に応答して、前記発光素子への前記電流の供給が遮断される段階と、
前記第２フィールドの間に、前記第２発光信号線を通じて印加される前記第１レベルの第２走査信号に応答して、前記発光素子への前記電流の供給が遮断される段階と、
を有することを特徴とする発光表示装置の駆動方法。
【発明の詳細な説明】
【技術分野】
【０００１】
本発明は、表示パネル、これを用いた発光表示装置、及びその駆動方法に係り、特に、有機電界発光（electroluminescent、以下、ＥＬとする）表示パネル、これを用いた発光表示装置、及びその駆動方法に関するものである。
【背景技術】
【０００２】
一般に、有機ＥＬ表示装置は、蛍光性有機化合物を電気的に励起させて発光させる表示装置であって、Ｍ×Ｎ個の有機発光セルを電圧駆動あるいは電流駆動して映像を表現するようになっている。このような有機発光セルは、アノード（ＩＴＯ）、有機薄膜、カソード層（metal）の構造を有している。有機薄膜は、電子と正孔の均衡を良くして発光効率を向上させるために、発光層（emission layer、ＥＭＬ）、電子輸送層（electron transport layer、ＥＴＬ）、及び正孔輸送層（hole transport layer、ＨＴＬ）を含んだ多層構造からなり、また、別途の電子注入層（electron injection layer、ＥＩＬ）と正孔注入層（hole injection layer、ＨＩＬ）とを含んでいる。
【０００３】
このように構成される有機発光セルを駆動する方式には、単純マトリックス（passive matrix）方式と薄膜トランジスタ（ＴＦＴ）を用いた能動駆動（active matrix）方式とがある。単純マトリックス方式は、正極と負極とを直交するように形成し、ラインを選択して駆動するのに比べて、能動駆動方式は、薄膜トランジスタを各ＩＴＯ（indium tin oxide）画素電極に接続し、薄膜トランジスタのゲートに接続されたキャパシターの容量によって維持された電圧に応じて駆動する方式である。この時、キャパシターに電圧を設定するために印加される信号の形態により、能動駆動方式は、電圧駆動（voltage programming）方式と電流駆動（current programming）方式とに分けられる。
【０００４】
図６は、従来の電圧駆動方式における画素回路の等価回路図である。従来の電圧駆動方式の有機ＥＬ表示装置では、図６のように、有機ＥＬ素子（ＯＬＥＤ）にトランジスタ（Ｍ１）が連結されて発光のための電流を供給し、トランジスタ（Ｍ１）の電流量は、スイッチングトランジスタ（Ｍ２）を通じて印加されるデータ電圧によって制御されるようになっている。この時、印加された電圧を一定の期間維持するためのキャパシター（Ｃ１）が、トランジスタ（Ｍ１）のソースとゲートとの間に連結されている。
【０００５】
スイッチングトランジスタ（Ｍ２）がターンオンされれば、データ電圧がトランジスタ（Ｍ１）のゲートに印加されて、キャパシター（Ｃ１）にゲートとソースとの間にかかる電圧（ＶGS）が充電され、この電圧（ＶGS）に対応してトランジスタ（Ｍ１）に電流（ＩOLED）が流れ、この電流（ＩOLED）に対応して有機ＥＬ素子（ＯＬＥＤ）が発光する。
【０００６】
この時、有機ＥＬ素子（ＯＬＥＤ）に流れる電流は次の数１のようになる。
【数１】
2008268981.tif 000003
【０００７】
ここで、ＩOLEDは有機ＥＬ素子（ＯＬＥＤ）に流れる電流、ＶGSはトランジスタ（Ｍ１）のゲートとソースとの間の電圧、ＶTHはトランジスタ（Ｍ１）の閾値電圧、ＶDATAはデータ電圧、βは定数値を示す。
【０００８】
前記数１に示したように、データ電圧に対応する電流が有機ＥＬ素子（ＯＥＬＤ）に供給され、供給された電流に対応して有機ＥＬ素子が発光する。この時、印加されるデータ電圧は、階調を表現するために一定の範囲で多段階の値を有する。
【０００９】
ところが、このような従来の電圧駆動方式の画素回路では、製造工程の不均一性によって生じる薄膜トランジスタの閾値電圧（ＶTH）及びキャリアの移動度（mobility）の偏差により、高諧調が得にくいという問題点がある。例えば、３Ｖで画素の薄膜トランジスタを駆動する場合に、８ビット（２８＝２５６）階調を表現するためには、１２ｍＶ（＝３Ｖ/２５６）以下の間隔で薄膜トランジスタのゲートに電圧を印加しなければならないが、万一、製造工程の不均一による薄膜トランジスタの閾値電圧の偏差が１００ｍＶであると、高諧調を表現するのは難しくなる。また、移動度の偏差によって数１でのβの値が変わるので、高諧調を表現するのは更に難しくなる。
【００１０】
これに反し、電流駆動方式の画素回路は、画素回路に電流を供給する電流源がパネル全体を通じて均一であるとすれば、各画素内の駆動トランジスタが不均一な電圧−電流特性を有しているとしても、均一なディスプレイ特性を得ることができる。
【００１１】
図７は、従来の電流駆動方式における画素回路の等価回路図である。電流駆動方式の画素回路でも、図７のように、有機ＥＬ素子（ＯＬＥＤ）にトランジスタ（Ｍ１）が連結されて発光のための電流を供給し、トランジスタ（Ｍ１）の電流量は、トランジスタ（Ｍ２）を通じて印加されるデータ電流によって制御される。
【００１２】
したがって、トランジスタ（Ｍ２）、（Ｍ３）がターンオンされれば、データ電流（ＩDATA）に対応する電圧がキャパシター（Ｃ１）に充電され、その後、キャパシター（Ｃ１）に充電された電圧に対応する電流が有機ＥＬ素子（ＯＬＥＤ）に流れて発光が行われる。この時、有機ＥＬ素子（ＯＬＥＤ）に流れる電流は数２のようになる。
【数２】
2008268981.tif 000004
【００１３】
ここで、ＶGSはトランジスタ（Ｍ１）のゲートとソースとの間の電圧、ＶTHはトランジスタ（Ｍ１）の閾値電圧、βは定数値を示す。前記数２で示したように、従来の電流駆動方式の画素によれば、有機ＥＬ素子に流れる電流（ＩOLED）がデータ電流（ＩDATA）と同一であるので、電流源がパネル全体を通じて均一であるとすれば、均一な特性を得ることができる。
【発明の開示】
【発明が解決しようとする課題】
【００１４】
しかしながら、有機ＥＬ素子に流れる電流（ＩOLED）は微細電流であるため、微細電流（ＩDATA）でデータ線を充電するのには多くの時間がかかるという問題点がある。例えば、データ線の負荷キャパシタンスが３０ｐＦと仮定する場合、数十ｎＡから数百ｎＡ程度のデータ電流でデータ線の負荷を充電しようとすると、数ｍｓの時間が必要となる。これは数十μｓの水準のライン時間（line time）を考慮してみると、充電時間が十分でないという問題点がある。
【００１５】
また、データ線の充電にかかる時間を減少させるために、有機ＥＬ素子に流れる電流（ＩOLED）を上げると、全体的に画素の輝度が高くなり、画質特性が低下するという問題が発生する。
【００１６】
本発明が目的とする技術的課題は、発光表示装置で、画質特性を低下させずに、データ線を迅速に充電することにある。
【００１７】
また、本発明の他の技術的課題は、発光表示装置の画質を向上させることにある。
【課題を解決するための手段】
【００１８】
このような課題を解決するために、本発明は、発光表示装置をパルス方式で駆動し（デューティ駆動）、特に発光表示装置をインターレース（interlace）駆動する。
【００１９】
本発明の一つの特徴による発光表示装置は、データ電流を伝達し、一方向に形成されている複数のデータ線；第１及び第２走査信号を各々伝達し、前記データ線と交差している複数の選択信号線及び発光信号線；前記データ線と前記選択信号線と発光信号線とが交差してなす画素領域に形成されており、前記選択信号線からの第１走査信号に応答して、前記データ線からのデータ電流を伝達する第１スイッチング素子と、前記第１スイッチング素子からのデータ電流に対応する電圧を充電するキャパシターと、発光素子と、前記キャパシターに充電された電圧に対応する電流を前記発光素子に供給するトランジスタと、前記発光信号線からの第２走査信号の第１レベルに応答して、前記トランジスタからの電流が前記発光素子に供給されるようにする第２スイッチング素子とを含む画素回路；及び前記選択信号線に第１走査信号を供給し、前記発光信号線に第２走査信号を供給する駆動部；を含む。ここで、前記選択信号線は第１選択信号線と第２選択信号線とからなり、前記駆動部は、一つのフレームで、一定の期間、第１レベルを有する第２走査信号を前記発光信号線に供給し、一つのフレームの第１フィールドの間に、前記第１選択信号線に第１走査信号を伝達し、一つのフレームの第２フィールドの間に、前記第２選択信号線に第１走査信号を伝達する。
【００２０】
この時、前記発光信号線も第１発光信号線と第２発光信号線とからなり、前記駆動部は、一つのフレームの第１フィールドで、前記第１発光信号線に第２走査信号を伝達し、一つのフレームの第２フィールドで、前記第２発光信号線に第２走査信号を伝達することができる。
【００２１】
一方、前記駆動部は、前記第１フィールドの間に、前記第１選択信号線に第１走査信号を供給する第１走査駆動部；前記第１フィールドの間に、前記第１発光信号線に第２走査信号を供給する第１輝度制御駆動部；前記第２フィールドの間に、前記第２選択信号線に第１走査信号を供給する第２走査駆動部；及び前記第２フィールドの間に、前記第２発光信号線に第２走査信号を供給する第２輝度制御駆動部；を含むことができる。このような駆動部はシフトレジスターからなることができる。
【００２２】
また、前記第２走査信号は、第１及び第２レベルの間を転換するパルスであり、前記第２走査信号が前記第１レベルである場合、前記発光素子は前記第２スイッチング素子からの電流に対応して発光し、前記第２走査信号が前記第２レベルである場合、前記発光素子への電流の供給が遮断される。特に、前記第２走査信号は、一つのフィールドで、第１及び第２レベルの間を転換するパルスである。
【００２３】
一方、前記画素回路は、前記第１走査信号に応答して、前記データ線からのデータ電流に該当する電圧が前記キャパシターに充電されるようにする第３スイッチング素子を更に含むことができ、前記キャパシターは、前記第２走査信号が第２レベルである場合に前記データ電流に対応する電圧を充電する。
【００２４】
このような特徴を有する発光表示装置において、前記第１選択信号線及び第１発光信号線は、複数の選択信号線及び発光信号線の中で各々奇数番目に該当する選択信号線及び発光信号線であり、前記第２選択信号線及び第２発光信号線は、複数の選択信号線及び発光信号線の中で各々偶数番目に該当する選択信号線及び発光信号線であり得る。また、前記第１選択信号線及び第１発光信号線は、複数の選択信号線及び発光信号線の中で各々偶数番目に該当する選択信号線及び発光信号線であり、前記第２選択信号線及び第２発光信号線は、複数の選択信号線及び発光信号線の中で各々奇数番目に該当する選択信号線及び発光信号線である。
【００２５】
本発明の他の特徴による表示パネルは、データ電流を伝達し、一方向に形成されている複数のデータ線；第１及び第２走査信号を各々伝達し、前記データ線と交差している複数の選択信号線及び発光信号線；前記データ線と前記選択信号線と発光信号線とが交差してなす画素領域に形成されており、前記選択信号線からの第１走査信号に応答して、前記データ線からのデータ電流を伝達する第１スイッチング素子と、前記第１スイッチング素子からのデータ電流に対応する電圧を充電するキャパシターと、発光素子と、前記キャパシターに充電された電圧に対応する電流を前記発光素子に供給するトランジスタと、前記発光信号線からの第２走査信号の第１レベルに応答して、前記トランジスタからの電流が前記発光素子に供給されるようにする第２スイッチング素子とを含む画素回路；を含み、前記選択信号線は第１選択信号線と第２選択信号線とからなり、前記発光信号線は第１発光信号線と第２発光信号線とからなる。また、前記一つのフレームの奇数フィールドの間に、前記第１選択信号線及び第１発光信号線に第１及び第２走査信号が各々伝達され、一つのフレームの偶数フィールドの間に、前記第２選択信号線及び第２発光信号線に第１及び第２走査信号が各々伝達され、前記第２走査信号は、一つのフレームで、一定の期間、第１レベルを有する。
【００２６】
ここで、前記第２走査信号は、第１及び第２レベルの間を転換するパルスであり、前記第２走査信号が前記第１レベルである場合、前記発光素子は前記第２スイッチング素子からの電流に対応して発光し、前記第２走査信号が前記第２レベルである場合、前記発光素子への電流の供給が遮断される。
【００２７】
本発明の他の特徴による発光表示装置の駆動方法は、データ線と選択信号線と発光信号線とが交差してなす画素領域に形成されており、キャパシターと、前記キャパシターに充電された電圧に対応して電流を供給するトランジスタと、発光素子を含む画素回路とが形成されている発光表示装置を駆動する方法であって、ａ）一つのフレームの第１フィールドの間に、前記発光信号線の中で第１発光信号線を通じて印加される第２走査信号が第１レベルである間、前記選択信号線の中で第１選択信号線を通じて印加される第１走査信号に応答して、前記データ線からのデータ電流に対応する電圧が前記キャパシターに充電される段階；ｂ）前記第１発光信号線を通じて印加される第２レベルの第２走査信号に応答して、前記トランジスタから伝達される前記キャパシターに充電された電圧に対応する電流に応答して、前記発光素子が発光する段階；ｃ）一つのフレームの第２フィールドの間に、前記発光信号線の中で第２発光信号線を通じて印加される第２走査信号が第１レベルである間、前記選択信号線の中で第２選択信号線を通じて印加される第１走査信号に応答して、前記データ線からのデータ電流に対応する電圧が前記キャパシターに充電される段階；及びｄ）前記第２発光信号線を通じて印加される第２レベルの第２走査信号に応答して、前記トランジスタから伝達される前記キャパシターに充電された電圧に対応する電流に応答して、前記発光素子が発光する段階；を含む。
【００２８】
その他にも、前記第１フィールドの間に、前記第１発光信号線を通じて印加される前記第１レベルの第２走査信号に応答して、前記発光素子への前記電流の供給が遮断される段階；及び前記第２フィールドの間に、前記第２発光信号線を通じて印加される前記第１レベルの第２走査信号に応答して、前記発光素子への前記電流の供給が遮断される段階；を更に含むことができる。
【発明の効果】
【００２９】
このように、本発明によれば、データ線の充電にかかる時間を効果的に減少させることができる。特に、有機ＥＬ素子に流れる電流（ＩOLED）を上げても、全体の輝度は上昇させずにデータ線の充電時間を減少させることができる。
【００３０】
また、駆動トランジスタの電流特性の偏差が小さく高い電流領域を用いて、発光表示装置を安定的に駆動させることができる。
【００３１】
更に、フリッカーが除去されるので、発光表示装置の画質が向上する。
【発明を実施するための最良の形態】
【００３２】
以下、添付した図面を参照して、本発明の実施例を、本発明の属する技術分野において通常の知識を有する者が容易に実施できるように詳細に説明する。しかし、本発明は多様な相異する形態で実現することができ、ここで説明する実施例に限定されない。
【００３３】
図面では、本発明を明確に説明するために、説明と関係のない部分は省略した。明細書全体を通じて類似した部分については同一の図面符号を付けた。ある部分が他の部分と連結されている場合、これは、直接的に連結されている場合だけでなく、その間に他の素子を介在して電気的に連結されている場合も含む。
【００３４】
それでは、本発明の実施例による発光表示装置及びその画素回路と駆動方法について図面を参照して詳細に説明する。以下で記述される発光表示装置は有機発光セルを有する有機電界発光表示装置であるが、本発明による発光表示装置はこれに限定されない。
【実施例１】
【００３５】
まず、図１を参照して、本発明の第１実施例による発光表示装置について詳しく説明する。図１は、本発明の第１実施例による発光表示装置の概略的な平面図である。図１に示したように、本発明の実施例による発光表示装置は、有機ＥＬ表示パネル１００（以下、表示パネルとする）、データ駆動部２００、走査駆動部３００、及び輝度制御駆動部４００を含む。
【００３６】
前記表示パネル１００は、行方向に延びている複数のデータ線（Ｙ１−Ｙｎ）、列方向に延びている複数の信号線（Ｘ１−Ｘｍ、Ｚ１−Ｚｍ）、及び複数の画素回路１１０を含む。
【００３７】
信号線は、画素を選択するための第１走査信号を伝達する複数の選択信号線（Ｘ１−Ｘｍ）、及び有機ＥＬ素子の発光期間を制御するための第２走査信号を伝達する複数の発光信号線（Ｚ１−Ｚｍ）を含む。そして、データ線（Ｙ１−Ｙｎ）と選択信号線及び発光信号線（Ｘ１−Ｘｍ、Ｚ１−Ｚｍ）とによって定義される画素領域に画素回路１１０が形成されている。
【００３８】
前記データ駆動部２００は、データ線（Ｙ１−Ｙｎ）にデータ電流（ＩDATA）を印加し、走査駆動部３００は、選択信号線（Ｘ１−Ｘｍ）に画素回路を選択するための第１走査信号を順次に印加する。輝度制御駆動部４００は、画素回路１１０の輝度を制御するための第２走査信号を発光信号線（Ｚ１−Ｚｍ）に順次に印加する。
【００３９】
前記走査駆動部３００及び輝度制御駆動部４００、及び/又はデータ駆動部２００（輝度制御駆動部４００及びデータ駆動部２００、輝度制御駆動部４００又はデータ駆動部２００）は、表示パネル１００に電気的に連結されることができ、又は表示パネル１００に接着されて電気的に連結されているテープキャリアパッケージ（tape carrier package、ＴＣＰ）にチップなどの形態で装着される。又は、表示パネル１００に接着されて電気
的に連結されているフレキシブル印刷回路（flexible printed circuit、ＦＰＣ）又はフィルムなどにチップなどの形態で装着されることができ、これをＣＯＦ（chip on flexible board、chip on film）方式という。これとは異なって、走査駆動部３００及び輝度制御駆動部４００、及び/又はデータ駆動部２００は、表示パネルのガラス基板上に直接装着されることができ、これをＣＯＧ（chip on glass）方式という。また、ガラス基板上に信号線、データ線、及び薄膜トランジスタと同一な層で形成されている駆動回路に代えることもできる。
【００４０】
以下では、図２、図３（Ａ）及び図３（Ｂ）を参照して、本発明の第１実施例による発光表示装置の画素回路１１０について詳細に説明する。図２は、本発明の第１実施例による画素回路の等価回路図であり、図３（Ａ）及び図３（Ｂ）は、図２の画素回路を駆動するための第１及び第２走査信号のタイミング図である。図２では、説明の便宜上、ｊ番目のデータ線（Ｙｊ）とｉ番目の信号線（Ｘｉ、Ｚｉ）とに連結された画素回路だけを示した。
【００４１】
図２に示したように、本発明の第１実施例による画素回路１１０は、有機ＥＬ素子（ＯＬＥＤ）、トランジスタ（Ｍ１−Ｍ４）、及びキャパシター（Ｃ）を含む。ここで、トランジスタ（Ｍ１−Ｍ４）としてはＰＭＯＳトランジスタが用いられたが、これに限定されない。このようなトランジスタは、表示パネル１００のガラス基板上に形成されるゲート電極、ドレーン電極、及びソース電極を各々制御電極及び２個の主電極として有する薄膜トランジスタであるのが好ましい。
【００４２】
具体的に、トランジスタ（Ｍ２）は、その三つの端子が選択信号線（Ｘｉ）、データ線（Ｙｊ）、及びキャパシター（Ｃ）に各々連結され、選択信号線（Ｘｉ）からの第１走査信号に応答して、データ線（Ｙｊ）からのデータ電流（ＩDATA）をトランジスタ（Ｍ１）のゲートに伝達する。この時、データ電流（ＩDATA）と同一の大きさの電流がトランジスタ（Ｍ１）のドレーンに流れるまで、トランジスタ（Ｍ１）のゲートにデータ電流が伝達される。キャパシター（Ｃ）は、トランジスタ（Ｍ１）のゲートとソースとの間に連結されており、データ線（Ｙｊ）からのデータ電流（ＩDATA）に該当する電圧を充電する。トランジスタ（Ｍ１）では、キャパシター（Ｃ）に充電された電圧により、数２に示したような電流が流れる。
【００４３】
トランジスタ（Ｍ３）は、トランジスタ（Ｍ１）と有機ＥＬ素子（ＯＬＥＤ）との間に連結され、発光信号線（Ｚｉ）からのローレベルの第２走査信号に応答して、トランジスタ（Ｍ１）と有機ＥＬ素子（ＯＬＥＤ）とを電気的に連結する。有機ＥＬ素子（ＯＬＥＤ）は、トランジスタ（Ｍ３）と接地電圧との間に連結されており、トランジスタ（Ｍ３）を経て供給される電流に対応して発光する。トランジスタ（Ｍ４）は、選択信号線（Ｘｉ）からのローレベルの第１走査信号に応答して、印加されるデータ電流（ＩDATA）をトランジスタ（Ｍ１）のドレーンに伝達する。
【００４４】
一方、本発明による画素回路は、前述されたものに限定されず、例えば、電流ミラーを用いる画素回路など異なる構造からなる画素回路を用いることができる。以下では、図３（Ａ）及び図３（Ｂ）を参照して、本発明の第１実施例による発光表示装置の動作について詳しく説明する。
【００４５】
図３（Ａ）は、本発明の第１実施例によって選択信号線及び発光信号線に各々印加される第１及び第２走査信号のタイミング図であり、図３（Ｂ）は、第１及び第２走査信号のタイミングを比較して示した図である。
【００４６】
図３（Ａ）に示したように、選択信号線（Ｘｉ、Ｘｉ＋１、Ｘｉ＋２）には、トランジスタ（Ｍ２）をターンオンするための第１走査信号が順次に印加される。このように第１走査信号によってトランジスタ（Ｍ２）がターンオンされれば、データ線（Ｙ１−Ｙｎ）からのデータ電流（ＩDATA）に該当する電圧がキャパシター（Ｃ）に充電される。この時、第１走査信号によってトランジスタ（Ｍ４）もターンオンされ、トランジスタ（Ｍ１）がダイオードに連結される。これにより、キャパシター（Ｃ）にトランジスタ（Ｍ１）を通じて流れるデータ電流（ＩDATA）に該当する電圧が充電される。この時、トランジスタ（Ｍ３）はターンオフされている。その後、充電が完了すると、トランジスタ（Ｍ２）、（Ｍ４）がターンオフされ、発光信号線（Ｚｉ、Ｚｉ＋１、Ｚｉ＋２）から印加される第２走査信号によってトランジスタ（Ｍ３）がターンオンされて、トランジスタ（Ｍ３）を通じてデータ電流（ＩDATA）が流れるようになる。
【００４７】
このような発光表示装置の動作時に、図３（Ａ）に示したように、発光信号線（Ｚｉ、Ｚｉ＋１、Ｚｉ＋２）に印加される第２走査信号のレベルが順次に変わる。発光信号線（Ｚｉ、Ｚｉ＋１、Ｚｉ＋２）に印加される第２走査信号がローレベルである場合にはトランジスタ（Ｍ３）がターンオンされ、トランジスタ（Ｍ１）から印加される電流が有機ＥＬ素子（ＯＬＥＤ）に供給され、この電流に対応して有機ＥＬ素子（ＯＬＥＤ）は発光する［発光期間（Ｐon）］。発光信号線（Ｚｉ、Ｚｉ＋１、Ｚｉ＋２）に印加される第２走査信号がハイレベルである場合には、トランジスタ（Ｍ３）がターンオフされ、トランジスタ（Ｍ１）から印加される電流は有機ＥＬ素子（ＯＬＥＤ）に供給されない。したがって、有機ＥＬ素子（ＯＬＥＤ）は発光しない［非発光期間（Ｐoff）］。
【００４８】
詳しく説明すれば、図３（Ｂ）に示したように、非発光期間（Ｐoff）の間、選択信号線（Ｘｉ）にトランジスタ（Ｍ１）をターンオンするための第１走査信号が印加され、データ線（Ｙ１−Ｙｎ）からのデータ電流（ＩDATA）に対応する電圧がキャパシター（Ｃ）に充電される［記録期間（Ｐｗ）］。記録期間（Ｐｗ）が終わると、若干のタイミング後に、発光信号線（Ｚｉ）に印加される第２走査信号のレベルがローレベルとなって、発光期間（Ｐon）が始まる。一定の時間発光が行われた後、第２走査信号のレベルがハイレベルとなって、有機ＥＬ素子に電流が印加されないようになって、有機ＥＬ素子（ＯＬＥＤ）が発光しない非発光期間（Ｐoff）となる。
【００４９】
このように、本発明の実施例では、輝度制御駆動部４００から供給される第２走査信号のデューティ比によって発光期間（Ｐon）と非発光期間（Ｐoff）との長さが調節され、これにより輝度が制御される。したがって、高いデータ電流を用いても、デューティ駆動をするため、全体的には画素の輝度が上がらず、消費電力も大きくは増加しない。また、高い電流領域を用いることにより、トランジスタの電流特性の偏差が小さくなり、したがって、発光表示装置の安定した駆動が可能になる。
【００５０】
一方、有機ＥＬ素子は、電圧の変化に非常に敏感であるため、３０Ｈｚ以下の低い周波数で駆動するとフリッカーが発生する。特に、第１実施例では、水平ライン別に有機ＥＬ素子を順次に駆動させながら一つのライン内で発光期間と非発光期間とが交互に発生するため、フリッカーが発生するようになる。
【００５１】
したがって、本発明の第２実施例では、デューティ駆動によって発生するフリッカーを除去するために、次のように発光表示装置を駆動させる。
【実施例２】
【００５２】
まず、図４を参照して、本発明の第２実施例による発光表示装置について説明する。図４は、本発明の第２実施例による発光表示装置の概略的な平面図である。図４において、第１実施例と同一な部分については同一の図面番号を付けており、以下、第１実施例と同一な部分については詳細な説明を省略する。
【００５３】
図４に示したように、本発明の第２実施例による発光表示装置は、第１実施例と同一に、表示パネル１００、データ駆動部２００、走査駆動部、及び輝度制御駆動部を含み、ただし、第１実施例と異なって、走査駆動部が、第１及び第２走査駆動部３１０、３２０からなり、輝度制御駆動部が、第１及び第２輝度制御駆動部４１０、４２０からなる。
【００５４】
前記第１走査駆動部３１０は、一つのフレームの奇数フィールドの間に、奇数番目に該当する選択信号線（Ｘ１、Ｘ３、…）に画素回路を選択するための第１走査信号を順次に印加し、第２走査駆動部３２０は、一つのフレームの偶数フィールドの間に、偶数番目に該当する選択信号線（Ｘ２、Ｘ４…）に画素回路を選択するための第１走査信号を順次に印加する。
【００５５】
前記第１輝度制御駆動部４１０は、一つのフレームの奇数フィールドの間に、画素回路１１０の輝度を制御するための第２走査信号を、奇数番目に該当する発光信号線（Ｚ１、Ｚ３、…）に順次に印加し、第２輝度制御駆動部４２０は、一つのフレームの偶数フィールドの間に、画素回路を選択するための第２走査信号を、偶数番目に該当する発光信号線（Ｚ２、Ｚ４…）に順次に印加する。このような第１及び第２走査駆動部３１０、３２０及び第１及び第２輝度制御駆動部４１０、４２０はシフトレジスターからなるが、必ずしもこれに限定されるのではない。
【００５６】
ここで、表示パネル１００とデータ駆動部２００との構造は前記第１実施例と同一であるので、詳細な説明を省略する。
【００５７】
以下、図５を参照して、本発明の第２実施例による発光表示装置の駆動について説明する。図５は、本発明の第２実施例による発光表示装置の画素回路を駆動するための第１及び第２走査信号のタイミング図である。
【００５８】
本発明の第２実施例では、隣接したライン間にオフ時間（つまり、有機電界発光素子の非発光時間）を異なるようにすることで、イメージのオンオフが認識されないようにしたり、弱く認識されるようにする。
【００５９】
こうするために、一つのフレームの間で信号線を順次に駆動させるのではなく、１フレームを奇数フィールドと偶数フィールドとに分け、奇数フィールドの間には奇数番目に該当する信号線だけを順次に駆動させ、偶数フィールドの間には偶数番目に該当する信号線だけを順次に駆動させるインターレース（interlace）走査駆動を遂行する。
【００６０】
より具体的に説明すれば、図５に示したように、一つのフレームの奇数フィールドの間に、第１走査駆動部３１０が、奇数番目に該当する選択信号線（Ｘ１、Ｘ３、Ｘ５、…）にトランジスタ（Ｍ２）をターンオンするための第１走査信号を順次に印加する。また、第１走査信号に同期して、第１輝度制御駆動部４１０が、奇数番目に該当する発光信号線（Ｚ１、Ｚ３、Ｚ５、…）にトランジスタ（Ｍ３）をターンオンするための第２走査信号を順次に印加する。
【００６１】
これにより、前記第１実施例と同一に、トランジスタ（Ｍ２）がターンオンされ、トランジスタ（Ｍ４）もターンオンされて、キャパシター（Ｃ）にデータ電流（ＩDATA）に該当する電圧が充電され、トランジスタ（Ｍ３）を通じてデータ電流（ＩDATA）が流れるようになる。
【００６２】
そして、図５に示したように、奇数番目に該当する発光信号線（Ｚ１、Ｚ３、Ｚ５、…）に印加される第２走査信号のレベルが順次に変われば、発光が行われる。つまり、第１実施例と同一に、第１走査信号がローレベルに出力され、データ電流（ＩDATA）に対応する電圧がキャパシター（Ｃ）に充電される記録期間（Ｐｗ）の間には、第２走査信号がハイレベルに出力されて、トランジスタ（Ｍ１）から印加される電流が有機ＥＬ素子（ＯＬＥＤ）に供給されない。したがって、有機ＥＬ素子（ＯＬＥＤ）は発光しない。その後、第１走査信号がハイレベルに出力されてトランジスタ（Ｍ２）、（Ｍ４）がターンオフされた後、一定のタイミングの後に第２走査信号がローレベルに出力されると発光期間が始まり、それによりトランジスタ（Ｍ３）がターンオンされて、トランジスタ（Ｍ１）から印加されるデータ電流（ＩDATA）が有機ＥＬ素子（ＯＬＥＤ）に供給されることによって、有機ＥＬ素子（ＯＬＥＤ）が発光する。
【００６３】
前述したように、奇数フィールドの間、奇数番目に該当する選択信号線及び発光信号線に各々印加される第１及び第２走査信号に応じて、奇数番目に該当する選択信号線（Ｘ１、Ｘ３、Ｘ５、…）及び発光信号線（Ｚ１、Ｚ３、Ｚ５、…）に連結された画素回路だけがデューティ駆動する。
【００６４】
その後、奇数フィールドが終了し、偶数フィールドが開始されると、第１走査駆動部３１０及び第１輝度制御駆動部４１０の駆動が終了され、１フレームの偶数フィールドの間に、第２走査駆動部３２０が、偶数番目に該当する選択信号線（Ｘ２、Ｘ４、Ｘ６、…）にトランジスタ（Ｍ２）をターンオンするための第１走査信号を順次に印加する。また、第１走査信号に同期して、第２輝度制御駆動部４２０が、偶数番目に該当する発光信号線（Ｚ２、Ｚ４、Ｚ６、…）にトランジスタ（Ｍ３）をターンオンするための第２走査信号を順次に印加する。
【００６５】
したがって、前述のように、第１走査信号がローレベルに出力され、第２走査信号がハイレベルに出力される間に、データ電流（ＩDATA）に対応する電圧がキャパシター（Ｃ）に充電された後、第１走査信号がハイレベルに出力され、第２走査信号がローレベルに出力されるとば、データ電流（ＩDATA）が有機発光素子（ＯＬＥＤ）に供給されて有機発光素子（ＯＬＥＤ）が発光する。
【００６６】
その結果、偶数フィールドの間に偶数番目に該当する選択信号線及び発光信号線に各々印加される第１及び第２走査信号に応じて、偶数番目に該当する選択信号線（Ｘ２、Ｘ４、Ｘ６、…）及び発光信号線（Ｚ２、Ｚ４、Ｚ６、…）に連結された画素回路だけがデューティ駆動する（発光又は表示動作）。
【００６７】
このような本発明の第２実施例によると、１フレームの間に各信号線が順次に駆動されず、奇数フィールド及び偶数フィールドの間に奇数番目に該当する信号線と偶数番目に該当する信号線とが互いに分離されて駆動されるとともに、各信号線に連結された画素回路がデューティ駆動することにより、隣接したライン間の発光及び非発光期間が異なるようになるので、フリッカーが除去される。
【００６８】
以上で、本発明の好ましい実施例について詳細に説明したが、本発明の権利範囲はこれに限定されるのではなく、特許請求の範囲で定義している本発明の基本概念を用いた当業者のいろいろな変形及び改良形態もまた本発明の権利の範囲に属するものである。例えば、前記実施例では、奇数フィールド及び偶数フィールドに選択信号線及び発光信号線の一部を各々駆動させるために、２個の走査駆動部及び輝度制御駆動部を各々用いたが、これとは異なり、一つの走査駆動部と輝度制御駆動部とを用いながら、奇数フィールド及び偶数フィールド時に選択信号線及び発光信号線を駆動させるための互いに異なる走査信号及び輝度制御信号を各々出力するようにすることもできる。また、本発明は電流駆動方式の画素回路に限定されず、電圧駆動方式の画素回路にも適用可能である。
【００６９】
つまり、電圧駆動方式の画素回路も、前述のようにデューティ駆動とインターレース駆動とを行えば、電流特性の偏差が小さく高い電流領域を用いるので、画像の均一性が改善できる。
【００７０】
また、前述の実施例では、奇数フィールド時に奇数番目の信号線を駆動させ、偶数フィールド時に偶数番目の信号線を駆動させたが、これとは異なり、奇数フィールド時に偶数番目の信号線を駆動し、偶数フィールド時に奇数番目の信号線を駆動させることもできる。
【００７１】
また、デューティ駆動の時に発光素子のオンオフ時間の比を１：１としたり、その他の比率でオンオフ時間を調節することもできる。
【図面の簡単な説明】
【００７２】
【図１】本発明の第１実施例による発光表示装置の概略的な平面図である。
【図２】本発明の第１実施例による発光表示装置の画素回路の概略的な回路図である。
【図３】（Ａ）は本発明の第１実施例によって第１及び第２選択信号線に各々印加される第１及び第２走査信号のタイミング図であり、（Ｂ）は第１及び第２走査信号のタイミングを比較して示した図である。
【図４】本発明の第２実施例による発光表示装置の概略的な平面図である。
【図５】本発明の第２実施例によって第１及び第２選択信号線に各々印加される第１及び第２走査信号のタイミング図である。
【図６】従来の電圧駆動方式における画素回路の等価回路図である。
【図７】従来の電流駆動方式における画素回路の等価回路図である。
【符号の説明】
【００７３】
１００  表示パネル
１１０  画素回路
２００  データ駆動部
３００、３１０、３２０  走査駆動部
４００、４１０、４２０  制御駆動部
【図１】
2008268981.tif 000005
【図２】
2008268981.tif 000006
【図３】
2008268981.tif 000007
【図４】
2008268981.tif 000008
【図５】
2008268981.tif 000009
【図６】
2008268981.tif 000010
【図７】
2008268981.tif 000011